(57)【要約】　　　（修正有）【課題】２次元的に配置した拡散信号の周波数軸上および時間軸上における配置比率を、伝送路状態にどのように応じて最適に決定するかについての具体的な方法を提供する。【解決手段】ＭＣ−ＣＤＭＡ拡散チップ割り当てのため、移動局は、周波数軸上の振幅変動を測定する部位４２１、測定された振幅変動を基地局に通知する部位４２２を備え、基地局は、振幅変動、及びユーザ多重数に対する最適な周波数軸方向拡散数を記憶するテーブル４０９を保持すると共に、セル内の各移動局から通知される振幅変動の分布に基づき、最適な振幅変動を決定する部位４０７、４０８備え、決定された振幅変動とユーザ多重数とに応じ、最適な周波数軸方向拡散数を選択し、基地局はそれに従い拡散チップを周波数軸上と時間軸上に同時に割り当てて２次元配置を行い、拡散数を移動局に通知する。【選択図】　　　図４
2004048117.tif 000002
【特許請求の範囲】
【請求項１】
移動局は、周波数軸上の振幅変動（遅延スプレッド）を測定する部位、及び測定された振幅変動を基地局に通知する部位を備え、基地局は、周波数軸上の振幅変動及びユーザ多重数に対する最適な周波数軸方向拡散数を記憶するテーブルを保持すると共に、セル内の各移動局から通知される周波数軸上の振幅変動の分布に基づき最適な周波数軸上の振幅変動を決定する部位を備え、上記決定された周波数軸上の振幅変動とユーザ多重数に応じて、上記テーブルから最適な周波数軸方向拡散数を選択し、次いで各移動局に割り当てられる拡散コード長から各移動局に対する時間軸方向拡散数を求めて、基地局はそれに従い拡散チップを周波数軸上と時間軸上に同時に割り当てて２次元配置を行い、拡散コード長とあわせて周波数軸方向拡散数を移動局に通知することを特徴とするＭＣ−ＣＤＭＡ拡散チップ割り当て方法。
【請求項２】
移動局は、時間軸上の振幅変動（ドップラー周波数）を測定する部位、及び測定された振幅変動を基地局に通知する部位を備え、基地局は、時間軸上の振幅変動及びユーザ多重数に対する最適な時間軸方向拡散数を記憶するテーブルを保持すると共に、セル内の各移動局から通知される時間軸上の振幅変動の分布に基づき最適な時間軸上の振幅変動を決定する部位を備え、上記決定された時間軸上の振幅変動とユーザ多重数に応じて、上記テーブルから最適な時間軸方向拡散数を選択し、次いで各移動局に割り当てられる拡散コード長から各移動局に対する周波数軸方向拡散数を求めて、基地局はそれに従い拡散チップを周波数軸上と時間軸上に同時に割り当てて２次元配置を行い、拡散コード長とあわせて時間軸方向拡散数を移動局に通知することを特徴とするＭＣ−ＣＤＭＡ拡散チップ割り当て方法。
【請求項３】
移動局は、周波数軸上の振幅変動（遅延スプレッド）を測定する部位、時間軸上の振幅変動（ドップラー周波数）を測定する部位、及び測定された２つの振幅変動を基地局に通知する部位を備え、基地局は、周波数軸上の振幅変動、時間軸上の振幅変動及びユーザ多重数に対する最適な周波数軸方向拡散数及び時間軸方向拡散数を記憶するテーブルを保持と共に、セル内の各移動局から通知される周波数軸上の振幅変動と時間軸上の振幅変動の分布に基づき最適な周波数軸上の振幅変動と時間軸上の振幅変動を決定する部位を備え、上記決定された周波数軸上の振幅変動及び時間軸上の振幅変動とユーザ多重数に応じて、上記テーブルから最適な周波数軸方向拡散数と時間軸方向拡散数を選択し、基地局はそれに従い拡散チップを周波数軸上と時間軸上に同時に割り当てて２次元配置を行い、該周波数軸方向拡散数と時間軸方向拡散数を移動局に通知することを特徴とするＭＣ−ＣＤＭＡ拡散チップ割り当て方法。
【請求項４】
前記周波数軸上の振幅変動及び／または時間軸上の振幅変動の分布から所定の累積存在確率の振幅変動許容値を求め、該振幅変動値に対応する最適拡散数を求めることを特徴とする前記請求項１〜３の内、いずれか１項記載のＭＣ−ＣＤＭＡ拡散チップ割り当て方法。
【請求項５】
前記テーブルが、コード多重数をパラメータとし、前記振幅変動値に対応した所定の符号誤り率が得られる最大許容拡散数を記録するものであって、前記振幅変動値に対応する最適拡散数を上記テーブルから求めることを特徴とする前記請求項１〜４の内、いずれか１項記載のＭＣ−ＣＤＭＡ拡散チップ割り当て方法。
【発明の詳細な説明】
【０００１】
【発明の属する技術分野】
本発明は、無線伝送方式の一つであるマルチキャリアＣＤＭＡ（以下、ＭＣ−ＣＤＭＡという。）方式、特に、マルチキャリア伝送方式の一種であるＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）／ＣＤＭＡ（Ｃｏｄｅ　Ｄｉｖｉｓｉｏｎ　Ｍｕｌｔｉｐｌｅ　Ａｃｃｅｓｓ　：符号分割多元接続）変調方式を採用するマルチキャリア伝送システムにおける拡散チップ割り当て方法とその応用に関するものである。
【０００２】
【従来の技術】
近年、移動体通信およびディジタル放送等の分野で、画像や音声を高速に伝送するためのデジタル変調方式や伝送方式が検討されている。特に、ＣＤＭＡ方式は、ＴＤＭＡにおけるフレーム同期が不要のため、移動無線に多く用いられている。
【０００３】
その中で、最近、周波数選択性フェージングに強いこと、誤り訂正符号化の併用により周波数ダイバーシチ効果が得られること、各サブキャリアの周波数間隔を密に設定可能であること、および、シンボル区間にガードインターバルを設定することにより符号間干渉の影響を軽減できること、等の利点から、マルチキャリア伝送方式の一種であるＯＦＤＭ／ＣＤＭＡ変調方式を採用するマルチキャリア伝送システムが注目されている。
【０００４】
広帯域無線伝送での利用が検討されているＭＣ−ＣＤＭＡ方式は、直交周波数間隔に配置された複数のサブキャリアを用いて、拡散コードにより拡散されたシンボルを伝送するマルチキャリア伝送方式である。コード拡散の方向については、一般的に周波数軸方向に拡散される。このとき拡散長をＰＧ、サブキャリア数をＮとすると、Ｎ／ＰＧのシンボルが並列に送信される。周波数軸方向にコード拡散を行うＭＣ−ＣＤＭＡ方式は、拡散チップを中心周波数が異なるサブキャリアに割り当てるため、周波数ダイバーシチ効果を得られることが特徴の１つである。また、拡散長ＰＧが大きいほど、拡散チップを割り当てるサブキャリア間の相関が小さいほど、周波数ダイバーシチ効果は大きくなる。また、時間軸方向にコード拡散を行うことも提案されている。周波数軸方向拡散、時間軸方向拡散ともにコード拡散の方向は送受信両側で予め固定とされていて、受信機側でコード拡散の方向に従って逆拡散処理が行われ送信シンボルを得る。
【０００５】
ＭＣ−ＣＤＭＡ方式において多ユーザ通信を行うとき、コード拡散方向と、伝搬路環境や移動局の移動速度は、通信品質の確保の観点から密接な関係にあるが、従来はこれらの関係については考慮されず、固定的にコード拡散の方向が決められているにすぎない。
【０００６】
このようなＯＦＤＭ／ＣＤＭＡの改良例として特開２０００−３３２７２４公報が公知である。以下、まずこの改良例について、説明する。
ＯＦＤＭ／ＣＤＭＡ変調方式は、スペクトル拡散後の信号に対してＯＦＤＭ変調を行う技術であり、各キャリアがシンボル区間内で相互に直交するように、周波数間隔が設定されている。また、情報の伝送は、各キャリアの振幅および位相を変化させることで行われている。
【０００７】
図１は、ＯＦＤＭ／ＣＤＭＡ変調方式における送信信号の一例を示す図である。なお、ここでは、周波数軸上において８個のサブキャリアを想定しており、異なる２ユーザに対する送信信号が多重化されて送信されている状態を示している。送信機における送信データ系列Ｄ１ｍおよびＤ２ｍは、図１において拡散符号Ｃ１ｎ（ｎは整数）および拡散符号Ｃ２ｎ（ｎは整数）にてそれぞれ拡散変調されている。すなわち、各サブキャリア毎に、拡散符号Ｃ１１，Ｃ１２，…，Ｃ１８、および拡散符号Ｃ２１，Ｃ２２，…，Ｃ２８にて拡散変調され、さらに多重化された信号が送信される。
【０００８】
このようにサブキャリア単位で拡散変調、および多重化された信号が、遅延波が存在する周波数選択性フェージング伝送路を通った場合、各拡散チップに対応するサブキャリア信号は、たとえば、図２に示すように、各サブキャリアの振幅および位相がそれぞれ異なった状態で受信される。すなわち、周波数選択性フェージングの影響をうけた拡散チップのＳ／Ｎ比が低下することになり、それに伴って振幅および位相が変化する。
【０００９】
上記特開２０００−３３２７２４公報記載のＭＣ−ＣＤＭＡ拡散チップ割り当て方法に従うＯＦＤＭ／ＣＤＭＡ変調方式（以下「前記公報記載のマルチキャリア変調方式」と呼ぶ）では、周波数選択性フェージングが存在する伝送路において、ＯＦＤＭ／ＣＤＭＡ変調方式を採用した場合に、チップ数を多くとることを可能とし、さらにその結果として、拡散利得を向上させることができ、ＣＤＭＡ多重化においても多重数を増加させることができるようなマルチキャリア伝送システムを得ること、およびその変調方法を得ることを目的とし、ＯＦＤＭ／ＣＤＭＡ変調方式を採用して送信データ系列の拡散信号を周波数軸上および時間軸上に２次元的に配置し、さらに、前記２次元的に配置された一つの送信データ系列の拡散信号群を規則的に配置する拡散信号並べ替え手段（後述する実施の形態の送信機、Ｓ／Ｐ変換部３１４に相当）を備え、送信機側が、前記拡散信号並べ替え手段にて生成された送信信号を時間軸単位で送信し、受信機側が、受け取った受信信号を復調することにより前記送信データ系列を得るマルチキャリア伝送システムを示している。
【００１０】
この方式によれば、拡散後の信号を、拡散信号並べ替え手段にて、たとえば、周波数軸上に２チップ周期分を配置し、さらに時間軸上に４チップ分を配置し、合計８チップの拡散信号群を生成する。これにより、従来のように、単純に８チップの拡散信号を周波数軸上に配置した場合と比較して、周波数選択性フェージングの影響を４分の１に抑圧することが可能となる。また、Ｓ／Ｎ比が改善されることから、拡散チップ数を従来より増加させることができるようになり、拡散利得を大きく取ることが可能となる。さらに、同時に、ＣＤＭＡ多重化における多重数も、従来より増加させることができる。
【００１１】
また、同公報には、伝送路状態に応じてＯＦＤＭ／ＣＤＭＡ信号を選択的に送信し、さらに前記拡散信号並べ替え手段において、前記２次元的に配置した拡散信号の周波数軸上および時間軸上における拡散チップの配置比率を伝送路状態に応じて可変とする、マルチキャリア伝送システムまたは方法が記載されており、これによれば、周波数選択性フェージング伝送路の影響を受ける伝送路や、時間変動の大きい伝送路等に容易に適応できる、としている。
【００１２】
図３は、前記公報記載のマルチキャリア変調方式を採用するマルチキャリア伝送システムの構成図である。なお、図３（ａ）は、送信機側の構成を示すものであり、（ｂ）は、受信機側の構成を示すものであり、本システムを構成する装置は、送信機および受信機の少なくとも一方の機能を備える。
【００１３】
図３（ａ）において、３０１は第１のデータ拡散部であり、３０２は第２のデータ拡散部であり、３０３は合成部であり、３０４はシリアル／パラレル（Ｓ／Ｐ）変換部であり、３０５はＩＦＦＴ（Ｉｎｖｅｒｓｅ　Ｆａｓｔ　Ｆｏｕｒｉｅｒ　ｔｒａｎｓｆｏｒｍ）部であり、３０６はガードインターバル（ＧＩ）付加部であり、３０７はディジタル／アナログ（Ｄ／Ａ）変換部である。また、図３（ｂ）において、３１１はアナログ／ディジタル（Ａ／Ｄ）変換部であり、３１２はガードインターバル（ＧＩ）除去部であり、３１３はＦＦＴ（Ｆａｓｔ　Ｆｏｕｒｉｅｒ　Ｔｒａｎｓｆｏｒｍ）部であり、３１４はパラレル／シリアル（Ｐ／Ｓ）変換部であり、３１５はデータ逆拡散部である。
【００１４】
以下、上記送信機および受信機の動作について説明する。送信機において、図中の送信データ系列Ｄ１ｍは、第１のデータ拡散部３０１にて既知の拡散符号Ｃ１ｎにより拡散され、一方、他ユーザーへの送信データ系列Ｄ２ｍは、第２のデータ拡散部３０２にて既知の拡散符号Ｃ２ｎにより拡散される。その後、両出力は、合成部３０３において合成される。なお、本実施の形態において、拡散符号Ｃ１ｎとＣ２ｎとは直交しているものとする。
【００１５】
合成部３０３の出力信号は、シリアル／パラレル変換部３０４にてシリアル信号からパラレル信号に変換され、変換後のパラレル信号は、ＩＦＦＴ（逆高速フーリエ変換）３０５による逆高速フーリエ変換処理で時間軸波形に変換される。そして、時間軸波形変換後の信号には、ＧＩ付加部３０６にてガードインターバルが付加され、ＯＦＤＭ信号となる。最後に、ディジタルのＯＦＤＭ信号がＤ／Ａ変換器７にてアナログ信号に変換され、受信機に対して送信される。以後、この送信信号のことを、ＯＦＤＭ／ＣＤＭＡ信号と呼ぶ。なお、ガードインターバル信号とは、建造物等に反射して生じる遅延信号の影響を吸収するために設定されるもので、ＯＦＤＭ変調信号においては、通常、使用されるものである。
【００１６】
つぎに、上記ＯＦＤＭ／ＣＤＭＡ信号を受け取った受信機では、その受信信号をＡ／Ｄ変換器３１１にてディジタル信号に変換し、ＧＩ除去部３１２にてガードインターバルを除去する。そして、ガードインターバル除去後の信号は、ＦＦＴ３１３にて高速フーリエ変換処理され、時間軸波形を周波数軸波形に変換する。その後、ＦＦＴ３１３からの出力信号は、Ｐ／Ｓ変換部３１４にてシリアル信号に変換され、データ逆拡散部３１５に送信される。
【００１７】
たとえば、着目するユーザーの拡散符号が上記Ｃ１ｎである場合、シリアル変換後の信号は、データ逆拡散部３１５にて、ユーザー固有の拡散符号Ｃ１ｎと乗算され、送信データ系列Ｄ１ｍとして再生されることになる。これに対して、同時に受信される拡散符号Ｃ２ｍで拡散されたデータ系列Ｄ２ｍは、拡散符号Ｃ１ｎとＣ２ｎとの直交性により除去されることになる。また、建造物等に起因する遅延波の影響は、ＯＦＤＭ信号のガードインターバルにて除去されている。
【００１８】
上述の、前記公報記載のマルチキャリア変調方式によるマルチキャリア伝送システムの動作において、通常、ＯＦＤＭ／ＣＤＭＡ信号は、たとえば、図１および図２に示すような形式で、周波数軸上の各サブキャリアに一つのデータを振り分けて送信する。しかしながら、このような方法では、周波数選択性フェージングの存在する伝送路をとおる場合、その影響を受けた周波数のサブキャリアにおけるデータに誤りが発生し、以後、このサブキャリアにおける同一データ部分に常に誤りが発生することになる。
【００１９】
そこで、前記公報記載のマルチキャリア変調方式においては、ＯＦＤＭ／ＣＤＭＡ信号の生成処理におけるデータの配置を変えることで、周波数選択性フェージングの影響を少なくしている。
【００２０】
上述した前記公報記載のマルチキャリア変調方式の実施の形態１では、第１のデータ拡散部３０１および第２のデータ拡散部３０２にて拡散後の信号を、Ｓ／Ｐ変換部３０４にて、たとえば、周波数軸上に２チップ周期分を配置し、さらに時間軸上に４チップ分を配置し、合計８チップの拡散信号に適用した場合を示している。このような処理を行うことにより、従来のように、単純に８チップの拡散信号を周波数軸上に配置した場合と比較して、周波数選択性フェージングの影響を４分の１に抑圧することが可能となる。すなわち、サブキャリア数を８個とした場合、従来、８チップ（１データ系列）のうちの１チップが常に周波数選択性フェージングの影響を受ける場合でも、本実施の形態では、４データ系列に一つの割合でしか周波数選択性フェージングの影響を受けないことになる。
【００２１】
これにより、Ｓ／Ｎ（Ｓｉｇｎａｌ　ｔｏ　Ｎｏｉｓｅ　Ｒａｔｉｏ　）比が改善されることから、拡散チップ数を従来より増加させることができるようになり、拡散利得を大きく取ることが可能となる。また、同時に、ＣＤＭＡ多重化における多重数も、増加させることができる。
【００２２】
また、前記公報記載のマルチキャリア変調方式によるマルチキャリア伝送システムの他の実施の形態として、前記Ｓ／Ｐ変換部３０４にて、たとえば、周波数軸上に２チップ周期分を配置し、さらに時間軸上に４チップ分を配置した後、各周波数群の配置を時間軸上でシフトする方法（実施の形態２）、前記Ｓ／Ｐ変換部３０４にて、たとえば、周波数軸上に２チップ周期分を配置し、さらに時間軸上に４チップ分を配置した後、各周波数群の配置を周波数軸上でシフトする方法（実施の形態３）、前記Ｓ／Ｐ変換部３０４にて、２チップ毎に一つのグループとして４グループに分解し、その各グループをＯＦＤＭ信号内でインターリーブを行う方法（実施の形態４）、および前記Ｓ／Ｐ変換部３０４が、前記実施の形態１〜４におけるＳ／Ｐ変換部の機能をすべて備え、その中から、伝送路状態に応じたＯＦＤＭ／ＣＤＭＡ信号を選択的に送信するようにした方法（実施の形態５）、を開示している。さらに、伝送路状態に応じて、周波数軸上および時間軸上に割り当てる拡散チップ比率を可変とすれば、周波数選択性フェージング伝送路の影響を受ける伝送路や、時間変動の大きい伝送路等に容易に適応させることができる、と主張している。
【００２３】
上記のように、前記公報には、「伝送路状態に応じて、周波数軸上および時間軸上に割り当てる拡散チップの比率を可変とすることにより、周波数選択性フェージング伝送路の影響を受ける伝送路や、時間変動の大きい伝送路等に、容易に適応する。」と記載してあるが、上記２次元的に配置した拡散信号の、周波数軸上および時間軸上における配置比率を、伝送路の状態に応じて最適に決める具体的方法については開示されていない。
【００２４】
【発明が解決しようとする課題】
本発明は、前記公報記載のマルチキャリア変調方式によるマルチキャリア伝送システムによって実施することが不可能な、前記２次元的に配置した拡散信号の周波数軸上および時間軸上における配置比率を、伝送路状態にどのように応じて最適に決定するかについての、具体的な方法を提供することを目的とする。
【００２５】
【課題を解決するための手段】
上記目的を達成するため、本発明のＭＣ−ＣＤＭＡ拡散チップ割り当て方法は、移動局は、周波数軸上の振幅変動（遅延スプレッド）を測定する部位、及び測定された振幅変動を基地局に通知する部位を備え、基地局は、周波数軸上の振幅変動及びユーザ多重数に対する最適な周波数軸方向拡散数を記憶するテーブルを保持すると共に、セル内の各移動局から通知される周波数軸上の振幅変動の分布に基づき最適な周波数軸上の振幅変動を決定する部位を備え、上記決定された周波数軸上の振幅変動とユーザ多重数に応じて、上記テーブルから　最適な周波数軸方向拡散数を選択し、次いで各移動局に割り当てられる拡散コード長から各移動局に対する時間軸方向拡散数を求めて、基地局はそれに従い拡散チップを周波数軸上と時間軸上に同時に割り当てて２次元配置を行い、拡散コード長とあわせて周波数軸方向拡散数を移動局に通知することを特徴とする。
【００２６】
あるいは、本発明のＭＣ−ＣＤＭＡ拡散チップ割り当て方法は、移動局は、時間軸上の振幅変動（ドップラー周波数）を測定する部位、及び測定された振幅変動を基地局に通知する部位を備え、基地局は、時間軸上の振幅変動及びユーザ多重数に対する最適な時間軸方向拡散数を記憶するテーブルを保持すると共に、セル内の各移動局から通知される時間軸上の振幅変動の分布に基づき最適な時間軸上の振幅変動を決定する部位を備え、上記決定された時間軸上の振幅変動とユーザ多重数に応じて、上記テーブルから最適な時間軸方向拡散数を選択し、次いで各移動局に割り当てられる拡散コード長から各移動局に対する周波数軸方向拡散数を求めて、基地局はそれに従い拡散チップを周波数軸上と時間軸上に同時に割り当てて２次元配置を行い、拡散コード長とあわせて時間軸方向拡散数を移動局に通知することを特徴とする。
【００２７】
あるいは、本発明のＭＣ−ＣＤＭＡ拡散チップ割り当て方法は、移動局は、周波数軸上の振幅変動（遅延スプレッド）を測定する部位、時間軸上の振幅変動（ドップラー周波数）を測定する部位、及び測定された２つの振幅変動を基地局に通知する部位を備え、基地局は、周波数軸上の振幅変動及び時間軸上の振幅変動及びユーザ多重数に対する最適な周波数軸方向拡散数及び時間軸方向拡散数を記憶するテーブルを保持すると共に、セル内の各移動局から通知される周波数軸上の振幅変動と時間軸上の振幅変動の分布に基づき最適な周波数軸上の振幅変動と時間軸上の振幅変動を決定する部位を備え、上記決定された周波数軸上の振幅変動及び時間軸上の振幅変動とユーザ多重数に応じて、上記テーブルから最適な周波数軸方向拡散数と時間軸方向拡散数を選択し、基地局はそれに従い拡散チップを周波数軸上と時間軸上に同時に割り当てて２次元配置を行い、周波数軸方向拡散数と時間軸方向拡散数を移動局に通知することを特徴とする。
【００２８】
さらに、上記各構成において、前記周波数軸上の振幅変動及び／または時間軸上の振幅変動の分布から所定の累積存在確率の振幅変動許容値を求め、該振幅変動値に対応する最適拡散数を求めることを特徴とする。
【００２９】
またさらに、前記テーブルが、コード多重数をパラメータとし、前記振幅変動値に対応した所定の符号誤り率が得られる最大許容拡散数を記録するものであって、前記振幅変動値に対応する最適拡散数を上記テーブルから求めることを特徴とする。
【００３０】
【発明の実施の形態】
以下、図面を参照して、本発明の実施の形態を説明する。
周波数軸方向拡散を行うＭＣ−ＣＤＭＡ方式において、遅延スプレッドが大きい伝搬路環境では、周波数選択性フェージングの影響により周波数軸上に拡散されたチップ電力の変動が大きくなる。また、拡散長が大きければチップ間の振幅相関はさらに小さくなる。拡散コード内のチップ間の振幅相関が小さくなれば、周波数ダイバーシチ効果が大きく得られる。しかし、コード多重により実現される多ユーザ通信時に・チップ間の振幅相関が小さくなれば、拡散コード間の直交性が崩れ、符号間干渉が発生することにより伝送品質は劣化する。すなわち、周波数軸方向拡散を行うＭＣ−ＣＤＭＡ方式においてコード多重を行った場合では、周波数ダイバーシチ効果と符号間干渉の低減とはトレードオフの関係ある。一方、周波数選択性フエージグの影響によりチップ間の振幅変動が生じないようにするために、時間軸方向にコード拡散を行うＭＣ−ＣＤＭＡ方式も提案されている。コード拡散を時間軸方向とすることで周波数選択性フエージングによりチップ間の振幅変動は生じない。しかし、移動局の移動速度の増加に伴ってドップラー周波数が増加すれば、チップ間の電力変動幅は大きくなり、振幅相関が小さくなる。また、拡散方向が時間方向のため、拡散長が大きくなれば伝送時間が増大してしまう。
【００３１】
本発明においては、ＭＣ−ＣＤＭＡ方式において多ユーザ通信を行う際に通信品質の向上を図るため、以下の手段を用いる。
コード拡散されたシンボルのサブキャリア割り当てを、周波数軸方向拡散数ＰＧｆおよび時間軸方向拡散数ＰＧｔのＰＧｆ×ＰＧｔ＝ＰＧとなる２次元配置とする。
【００３２】
まず、伝搬路にて生じる周波数選択性フエージングによって変化する振幅変動を移動局にて測定する。測定された振幅変動値は基地局に通知される。基地局は各移動局から通知される振幅変動値の分布を保持し、その分布からセル内の移動局に適用するための最適な振幅変動値を決定する。テーブル情報を参照して、決められた振幅変動値から周波数軸方向の最大拡散可能数ＰＧｆｍａｘが決まるが、ユーザ多重数Ｋに応じて異なるようにする。Ｋが小さいときはコード干渉の影響は小さいためＰＧｆｍａｘは大きく、Ｋが大きいときはＰＧｆｍａｘは小さい。振幅変動値が小さい伝搬路環境ではＰＧｆｍａｘは大きく、振幅変動値が大きい場合ＰＧｆｍａｘは小さく設定することになる。このとき拡散長ＰＧがＰＧ＞ＰＧｆｍａｘであれば、周波数軸方向拡散数をＰＧｆ　＝ＰＧｆｍａｘ、時間軸方向拡散数をＰＧｔ　＝ＰＧ／ＰＧｆｍａｘとする。
【００３３】
また、端末移動に伴い発生するドップラー周波数の増加による時間軸上の振幅変動を移動局にて測定する。測定された振幅変動値は基地局に通知される。基地局は各移動局から通知される振幅変動値の分布を保持し、その分布からセル内の移動局に適用するための最適な振幅変動値を決定する。テーブル情報を参照して、決められた振幅変動値から時間軸方向の最大拡散可能数ＰＧｆｍａｘが決まるが、ユーザ多重数Ｋに応じて異なるようにする。Ｋが小さいときはコード干渉の影響は小さいためＰＧｔｍａｘは大きく、Ｋが大きいときはＰＧｔｍａｘは小さい。振幅変動値が小さい伝搬路環境ではＰＧｔｍａｘは大きく、振幅変動値が大きい場合ＰＧｔｍａｘは小さく設定することになる。このとき拡散長ＰＧがＰＧ＞ＰＧｔｍａｘであれば、時間軸方向拡散数をＰＧｔ　＝ＰＧｔｍａｘ、周波数軸方向拡散数をＰＧｆ　＝ＰＧ／ＰＧｔｍａｘとする。
【００３４】
図４は本発明のＭＣ−ＣＤＭＡ拡散チップ割り当て方法の実施例である。図４において、４０１は送信データソース、４０２はシリアル・パラレル変換部、４０３はスペクトル拡散部、４０４はマッパー、４０５は逆フーリエ変換（ＩＦＦＴ）部、４０６はガードインターバル（ＧＩ）付加部、４０７は振幅変動分布収集部、４０８は制御部、４０９は最適ＰＧｆ　（ＰＧｔ　）値テーブル部、４１０はＧＩ除去部、４１１はＦＦＴ部、４１２はデマッパー、４１３はスペクトラム逆拡散部、４１４はパラレル・シリアル（Ｐ／Ｓ）変換部、４１５は基地局制御部から移動局のデマッパーに対して通知される、スペクトル拡散されたシンボルのサブキャリア割り当て情報、４１６は移動局、４１７は移動局内のＭＣ−ＣＤＭＡ受信部、４１８はＧＩ除去部、４１９はフーリエ変換（ＦＦＴ）部、４に０はデマッパー、４２１はサブキャリア振幅変動測定部、４２２はＭＣ−ＣＤＭＡ送信部、４２３は移動局から基地局の振幅変動分布収集部４０７に対して通知される、受信信号の振幅変動測定値情報である。
【００３５】
基地局からセル内の移動局に対して発信される送信データソース４０１は、並列データ処理を行うためＳ／Ｐ変換部４０２によって並列データ系列に変換された後、拡散部４０３にてコード拡散される。このコード拡散されたデータ系列に対して、マッパー４０４がサブキャリアの割り当てを、拡散数ＰＧが周波数軸方向拡散数ＰＧｆ　および時間軸方向拡散数ＰＧｔ　の積で表わされる（ＰＧ＝ＰＧｆ　×ＰＧｔ　）ような２次元配置として割り当てる。２次元拡散された信号はＩＦＦＴ部４０５にて時間軸信号に変換され、ＧＩ付加部４０６にてガードインターバルが付加された後、Ａ／Ｄコンバータ（図には示していない）でアナログ信号に変換されて、セル内移動局に向けて送信される。
【００３６】
基地局の受信部においては、受信した移動局からの信号のガードインターバルをＧＩ除去部４１０で除去し、ＦＦＴ部４１１で周波数軸信号に変換後、デマッパー４１２により、マッパー４０４で決められた周波数軸方向および時間軸方向の拡散配置にもとづいて拡散チップの復元を行ない、逆拡散部４１３にて並列データ系列を再現する。さらにこれをＰ／Ｓ変換部４１４によって直列データに直して出力する。移動局のＭＣ−ＣＤＭＡ受信部４１７はＧＩ除去部４１８、ＦＦＴ部４１９およびデマッパ４２０で構成され、その各部の動作は前記基地局の受信部のＧＩ除去部４１０、ＦＦＴ部４１１、およびデマッパー４１２のそれぞれの動作と基本的に同じである。以上述べたＭＣ−ＣＤＭＡ基地局および移動局の構成要素とその動作は、周波数軸方向および時間軸方向の拡散数をあらかじめ一定値に定める従来の２次元拡散配置ＭＣ−ＣＤＭＡ方式の構成および動作と同一であり、既知のものである。
【００３７】
本発明のＭＣ−ＣＤＭＡ拡散チップ割り当て方法によるＭＣ−ＣＤＭＡ基地局および移動局の構成においては、図４に示すように前記従来の構成要素に加えて、移動局４１６は周波数軸上の振幅変動（遅延スプレッド）（および／または時間軸上の振幅変動（ドップラー周波数））を測定する部位（すなわちサブキャリア振幅変動測定部４２１）を備える。なお、測定された周波数軸上（および／または時間軸上）の振幅変動を基地局に通知する部位としては、従来の構成におけるＭＣ−ＣＤＭＡ送信部４２２をそのまま使用し、これによって、測定された振幅変動情報４２３は基地局のサブキャリア振幅分布収集部４０７に送られる。
【００３８】
さらに本発明のＭＣ−ＣＤＭＡ基地局４００は、周波数軸上の振幅変動及び時間軸上の振幅変動およびユーザ多重数に対する最適な周波数軸方向拡散数及び時間軸方向拡散数を記憶するテーブル（すなわち最適ＰＧｆ　（ＰＧｔ　）値テーブル部４０９）、およびセル内の各移動局から通知される周波数軸上（および／または時間軸上　）の振幅変動の分布に基づき、最適な周波数軸上（および／または時間軸上）の振幅変動を決定する部位（すなわち振幅変動分布収集部４０７および制御部４０８）を備える。さらに制御部４０８においては、決定された周波数軸上（および／または時間軸上）の最適な振幅変動値とユーザ多重数（すなわち送信データソースからあらかじめ通知されるコード多重数Ｋ）から、最適ＰＧｆ　（ＰＧｔ　）値テーブル部４０９を参照して最適拡散数ＰＧｆ　（および／またはＰＧｔ　）を決定する。制御部４０８で決定された最適拡散数ＰＧｆ　（および／またはＰＧｔ　）はマッパー４０４に通知され、マッパー４０４ではそれに従って２次元拡散を実行する。また制御部４０８で決定された最適拡散数ＰＧｆ　（および／またはＰＧｔ　）の値（図４のスペクトル拡散されたシンボルのサブキャリア割り当て情報４１５）は、移動局において受信信号を復元する際に必要な情報として、移動局のデマッパー４１６に送られる。
【００３９】
以上説明した構成および各部の動作により、移動局は、周波数軸上の振幅変動（遅延スプレッド）（および／または時間軸上の振幅変動（ドップラー周波数））を測定する部位、測定された周波数軸上（および／または時間軸上）の振幅変動を基地局に通知する部位を備え、基地局は周波数軸上（および／または時間軸上）の振幅変動、及びユーザ多重数に対する最適な周波数軸方向拡散数（および／または時間軸方向拡散数）を記憶するテーブルを保持し、セル内の各移動局から通知される周波数軸上（および／または時間軸上）の振幅変動の分布に基づき、最適な周波数軸上（および／または時間軸上）の振幅変動を決定する部位を備え、決定された周波数軸上（および／または時間軸上）の振幅変動とユーザ多重数とに応じて、最適な周波数軸方向拡散数（および／または時間軸方向拡散数）を選択し、基地局はそれに従い拡散チップを周波数軸上と時間軸上に同時に割り当てて２次元配置を行い、周波数軸方向拡散数（および／または時間軸方向拡散数）を移動局に通知することを特徴とするＭＣ−ＣＤＭＡ拡散チップ割り当て方法を実現している。
【００４０】
つぎに、本発明の主要構成要素であるサブキャリア振幅変動測定部（図４の４２１）、振幅変動分布収集部（同４０７）、制御部（同４０８）及び最適ＰＧｆ　（ＰＧｔ　）値テーブル部（同４０９）の構成について、図面を参照しつつ詳細に説明する。
【００４１】
図５は、本発明のＭＣ−ＣＤＭＡ拡散チップ割り当て方法によるＭＣ−ＣＤＭＡ方式の、移動局４１６における周波数軸上の振幅変動（遅延スプレッド）（および／または時間軸上の振幅変動（ドップラー周波数））を測定する部位（すなわちサブキャリア振幅変動測定部４２１）において、測定すべき周波数軸上の振幅変動（遅延スプレッド）（および／または時間軸上の振幅変動（ドップラー周波数））の例を示す。ここで例えば周波数軸上の振幅変動を測定する場合は、図５の５０２で示した周波数領域での受信電力Ｅを各サブキャリア毎に測定し（実際は各サブキャリア毎のパイロット信号の受信電力を測定するだけでよく、その場合位相の補正は必要ない）、隣接サブキャリア間の受信電力差分の二乗の積算値を振幅変動の測定値Ｖとする。図６はその例を示したもので、サブキャリア周波数ｆ０　に対する受信電力測定値がＥ０　、サブキャリア周波数ｆ１　に対する受信電力測定値がＥ１　，・・・等の時、受信電力の測定値Ｖは図６中の数式で計算される。
【００４２】
同様に、時間軸上の振幅変動を測定する場合は、図５の５０３で示す時間軸上の電力を測定する。この場合の測定値の例を図７に示す。時刻ｔ０　，ｔ１　，・・・・における受信電力測定値をＥ０　，Ｅ１　，・・・・とするとき、受信電力の測定値Ｖとしては、図７中の数式で計算される。
【００４３】
基地局４００における振幅変動分布収集部（同４０７）は、セル内の各移動局から送られてくる受信電力の振幅変動測定値（Ｖ）を入力して、それら個々の値を出力した移動局の数を記録する。この測定例が図８（ａ）に示される。
【００４４】
ここで、振幅変動測定値Ｖに対する移動局数の分布が図８（ａ）のようになるとき、振幅変動測定値Ｖの移動局存在確率の累積確率分布は、同図（ｂ）のようになる。これをグラフで表わしたものが同図（ｃ）である。
【００４５】
このときセル内の振幅変動の許容値をＶ０　で表わすことにして、Ｖ０　をたとえば累積確率８０％に対するＶとすれば、図８（ｃ）に示される如く、セル内振幅変動の許容値Ｖ０　の値はＶ０　＝αとして求められる。
【００４６】
すなわち、振幅変動をＶ０　＝αに設定すれば、そのセル内の移動局の８０％は振幅変動がＶ０　＝α以下となる。このＶ０　＝αに対応する最適な拡散数を求めるのがこの発明である。以下、その具体的方法が詳述される。
【００４７】
つぎに、制御部（図４の４０８）の動作を説明する。制御部４０８においては、振幅変動分布収集部（同４０７）によって決定された周波数軸上（または／および時間軸上）の最適な振幅変動値（上記の説明におけるＶ０　）とユーザ多重数（すなわち送信データソースからあらかじめ通知されるコード多重数Ｋ）から、最適ＰＧｆ　（ＰＧｔ　）値テーブル部４０９を参照して最適拡散数ＰＧｆ　（または／およびＰＧｔ　）を決定する。制御部４０８で決定された最適拡散数ＰＧｆ　（または／およびＰＧｔ　）はマッパー４０４に通知され、マッパー４０４ではそれに従って２次元拡散を実行する。
【００４８】
また、制御部４０８で決定された最適拡散数ＰＧｆ　（および／またはＰＧｔ　）の値（図４のスペクトル拡散されたシンボルのサブキャリア割り当て情報４１５）は、移動局において受信信号を復元する際に必要な情報として、移動局のデマッパー４１６に送られる。
【００４９】
なお、スペクトル拡散されたシンボルのサブキャリア割り当て情報４１５は、図４では制御部４０８から直接移動局のデマッパー４２０に送られるように破線で示してあるが、これは情報の流れを示すもので、実際の信号としては主信号データと共に基地局から送出される制御データの一部として、ＭＣ−ＣＤＭＡ信号の中に含めて移動局に伝達される。
【００５０】
つぎに、制御部（図４の４０８）が、振幅変動分布収集部（同４０７）によって決定された周波数軸上（および／または時間軸上）の最適な振幅変動値Ｖ０　と、送信データソースからあらかじめ通知されるコード多重数Ｋとから、最適拡散数ＰＧｆ　（および／またはＰＧｔ　）を決定するのに必要な、最適ＰＧｆ　（ＰＧｔ　）値テーブル部（図４の４０９）のテーブル数値の作製方法を説明する。図９は、コード多重数Ｋと振幅変動値Ｖとが与えられたとき、所要の符号誤り率（ＢＥＲｒｑ以下）が得られるためのＰＧの値の範囲を示す図である。周波数軸上の最適拡散数ＰＧｆ　を決定する場合と、時間軸上の最適拡散数ＰＧｔ　を決定する場合の手法は全く同一なので、ここでは簡単のため最適拡散数の表記として、共通のＰＧを用いている。
【００５１】
図９（ａ）はコード多重数Ｋとして比較的大きな値が与えられたとき、振幅変動値Ｖに対して所要の符号誤り率（ＢＥＲｒｑ以下）が得られるためのＰＧの値の範囲を示す。図中の曲線９０１は、比較的大きなＰＧの値を選択した時の振幅変動値Ｖと符号誤り率ＢＥＲの関係の例を示すもので、符号誤り率を所要のＢＥＲｒｑ以下に保つための振幅変動値Ｖの範囲としては、太い線分９０４に相当する横軸座標範囲になければならない。同様に曲線９０２は、中位の大きさのＰＧの値を選択した時の振幅変動値Ｖと符号誤り率ＢＥＲの関係の例を示すもので、符号誤り率を所要のＢＥＲｒｑ以下に保つための振幅変動値Ｖの範囲としては、太い線分９０５およびその左側に相当する横軸座標範囲になければならない。同様に曲線９０３は、比較的小さなＰＧの値を選択した時の振幅変動値Ｖと符号誤り率ＢＥＲの関係の例を示すもので、符号誤り率を所要のＢＥＲｒｑ以下に保つための振幅変動値Ｖの範囲としては太い線分９０６およびその左側に相当する横軸座標範囲になければならない。逆に、振幅変動値Ｖが一定値（たとえば前記のように振幅変動分布収集部（同４０７）で算出されたセル内の振幅変動代表値Ｖ０　）として与えられる時、その値（Ｖ０　）が図９（ｂ）の横軸上の何処にあるかによって、ＰＧの取り得る最大値（すなわち最適値が定まる。たとえば同図に示したＶ０　の位置の場合、ＰＧとしては線分９０５より下方の値をとり得るが、その中で最大のもの、すなわち線分９０５に相当する中位の大きさのＰＧが、最適拡散数となる。
【００５２】
図９（ｂ）はコード多重数Ｋとして比較的小さな値が与えられたとき、振幅変動値Ｖに対して所要の符号誤り率（ＢＥＲｒｑ以下）が得られるためのＰＧの値の範囲を示す。図９（ａ）と対比して分かるように、コード多重数Ｋが大の時に比べ、コード多重数が小の場合は、振幅変動値の符号誤り率（ＢＥＲｒｑ）に与える影響は小さい。図９（ａ）と同様に、図中の曲線９０７は、比較的大きなＰＧの値を選択した時の振幅変動値Ｖと符号誤り率ＢＥＲの関係の例を示すもので、符号誤り率を所要のＢＥＲｒｑ以下に保つための振幅変動値Ｖの範囲としては、太い線分９１０に相当する横軸座標範囲になければならない。同様に曲線９０８は、中位の大きさのＰＧの値を選択した時の振幅変動値Ｖと符号誤り率ＢＥＲの関係の例を示すもので、符号誤り率を所要のＢＥＲｒｑ以下に保つための振幅変動値Ｖの範囲としては、太い線分９１１およびその左側に相当する横軸座標範囲になければならない。同様に曲線９０９は、比較的小さなＰＧの値を選択した時の振幅変動値Ｖと符号誤り率ＢＥＲの関係の例を示すもので、符号誤り率を所要のＢＥＲｒｑ以下に保つための振幅変動値Ｖの範囲としては太い線分９１１およびその左側に相当する横軸座標範囲になければならない。逆に、振幅変動値Ｖが一定値（たとえば前記のように振幅変動分布収集部（同４０７）で算出されたセル内の振幅変動許容値（Ｖ０　）として与えられる時、その値（Ｖ０　）が図９（ｂ）の横軸上の何処にあるかによって、ＰＧの取り得る最大値（すなわち最適値が定まる。たとえば同図に示したＶ０　の位置の場合、ＰＧとしては線分９１０より下方の値をとり得るが、その中で最大のもの、すなわち線分９１０に相当する比較的大きな値のＰＧが、最適拡散数となる。
【００５３】
図１０は、図９に示した関係から定まるＰＧの値の範囲を、種々のコード多重数Ｋと振幅変動値（の代表値、たとえば図８で説明したセル内の振幅変動の代表値Ｖ０　）とについて示したものである。同図の各曲線の下側（ハッチを施した部分）に記されているＰＧ値（ＰＧ１　，ＰＧ２　，・・・ＰＧｍ−２　，ＰＧｍ−１　，ＰＧｍ　等、ここでＰＧ１　＜ＰＧ２　＜・・・＜ＰＧｍ−２　＜ＰＧｍ−１　＜ＰＧｍ　）が、許容される最大のＰＧ、すなわち最適ＰＧ値（周波数軸上の場合ＰＧｆｍａｘ、時間軸上の場合ＰＧｔｍａｘ）となる。たとえば与えられたＫの値をｋ０　とし、また振幅変動の代表値Ｖ０　としてたとえば図８で説明したように実測値の８０％累積確率値αを採用すれば、両者の交点の座標位置に相当するＰＧ値、すなわちこの例の場合ＰＧｍ−２　が最適ＰＧ値となる。
【００５４】
最適ＰＧｆ　（ＰＧｔ　）値テーブル部（図４の４０９）には、種々のＶ０　およびＫの値に対するＰＧの値を上記説明した方法に従ってあらかじめ作表し、記入しておく。制御部（図４の４０８）は、振幅変動分布収集部４０７によって実際の伝播路の状態に応じて求められたＫ、Ｖ０　の値を、テーブル部４０９に格納されている表にあてはめ、最適ＰＧｆ　（ＰＧｔ　）の値を取り出す。
【００５５】
【発明の効果】
以上述べたように、従来のＭＣ−ＣＤＭＡ方式においては、コード多重した多ユーザの通信時に、コード拡散方向が一律であることを要因として通信品質の劣化が引き起こされる可能性があった。本発明により、伝搬路環境や移動局移動速度に応じて適応的にコード拡散方向と最大拡散可能数を設定し、周波数軸方向と時間軸方向の２次元配置を、テーブルを参照することにより簡便に行うことができる。これにより、拡散コード内のチップ電力相関を所要値以上に保つことで多ユーザ通信時の符号間干渉を低減し通信品質の向上を図ることが可能になる。また、１コード伝送時間を一定にすることも可能であり、通信品質を柔軟に設計することが可能となる。
【図面の簡単な説明】
【図１】ＯＦＤＭ／ＣＤＭＡ変調方式における送信信号の一例を示す図である。
【図２】各サブキャリヤの振幅および位相がそれぞれ異なった状態で受信された時の、受信信号の一例を示す図である。
【図３】特開２０００−３３２７２４公報に記載のマルチキャリア変調方式を採用するマルチキャリア伝送システムの構成図である。
【図４】本発明のＭＣ−ＣＤＭＡ拡散チップ割り当て方法に用いるシステムの実施例を示す図である。
【図５】本発明のＭＣ−ＣＤＭＡ拡散チップ割り当て方法によるＭＣ−ＣＤＭＡ方式の、測定すべき周波数軸上の振幅変動（遅延スプレッド）（または／および時間軸上の振幅変動（ドップラー周波数））の例を示す図である。
【図６】周波数軸上の振幅変動の測定値の例を示す図である。
【図７】時間軸上の振幅変動の測定値の例を示す図である。
【図８】振幅変動分布収集部の動作の一例を示す図である。
【図９】コード多重数Ｋと振幅変動値Ｖとが与えられたとき、所要の符号誤り率（ＢＥＲｒｑ以下）が得られるためのＰＧの値の範囲を示す図である。
【図１０】図９に示した関係から定まるＰＧの値の範囲を、種々のコード多重数Ｋと振幅変動値とについて示したものである。
【符号の説明】
３０１　第１のデータ拡散部
３０２　第２のデータ拡散部
３０３　合成部
３０４　シリアル／パラレル（Ｓ／Ｐ）変換部
３０５　ＩＦＦＴ（Ｉｎｖｅｒｓｅ　Ｆａｓｔ　Ｆｏｕｒｉｅｒ　ｔｒａｎｓｆｏｒｍ）部
３０６　ガードインターバル（ＧＩ）付加部
３０７　ディジタル／アナログ（Ｄ／Ａ）変換部
３１１　アナログ／ディジタル（Ａ／Ｄ）変換部
３１２　ガードインターバル（ＧＩ）除去部
３１３　ＦＦＴ（Ｆａｓｔ　Ｆｏｕｒｉｅｒ　Ｔｒａｎｓｆｏｒｍ）部
３１４　パラレル／シリアル（Ｐ／Ｓ）変換部
３１５　データ逆拡散部
４０１　送信データソース
４０２　シリアル・パラレル変換部
４０３　スペクトル拡散部
４０４　マッパー
４０５　逆フーリエ変換（ＩＦＦＴ）部
４０６　ガードインターバル（ＧＩ）付加部
４０７　振幅変動分布収集部
４０８　制御部
４０９　最適ＰＧｆ　（ＰＧｔ　）値テーブル部
４１０　ＧＩ除去部
４１１　ＦＦＴ部
４１２　デマッパー
４１３　スペクトラム逆拡散部
４１４　パラレル・シリアル（Ｐ／Ｓ）変換部
４１５　スペクトル拡散されたシンボルのサブキャリア割り当て情報
４１６　移動局
４１７　ＭＣ−ＣＤＭＡ受信部
４１８　ＧＩ除去部
４１９　フーリエ変換（ＦＦＴ）部
４２０　デマッパー
４２１　サブキャリア振幅変動測定部
４２２　ＭＣ−ＣＤＭＡ送信部
４２３　受信信号の振幅変動測定値情報
５００　移動局が受信したＭＣ−ＣＤＭＡ信号
５０１　　移動局が受信したＭＣ−ＣＤＭＡ信号の振幅変動測定用信号
５０２　周波数領域での受信電力
５０３　時間軸上の受信電力
９０１　大きなＰＧ値に対する振幅変動値Ｖと符号誤り率ＢＥＲの関係を示す曲線
９０２　中位のＰＧ値に対する振幅変動値Ｖと符号誤り率ＢＥＲの関係を示す曲線
９０３　小さなＰＧ値に対する振幅変動値Ｖと符号誤り率ＢＥＲの関係を示す曲線
９０４　所要のＢＥＲｒｑ以下に保つための振幅変動値Ｖの範囲を示す太い線分
９０５　所要のＢＥＲｒｑ以下に保つための振幅変動値Ｖの範囲を示す太い線分
９０６　所要のＢＥＲｒｑ以下に保つための振幅変動値Ｖの範囲を示す太い線分
９０７　大きなＰＧ値に対する振幅変動値Ｖと符号誤り率ＢＥＲの関係を示す曲線
９０８　中位のＰＧ値に対する振幅変動値Ｖと符号誤り率ＢＥＲの関係を示す曲線
９０９　小さなＰＧ値に対する振幅変動値Ｖと符号誤り率ＢＥＲの関係を示す曲線
９１０　所要のＢＥＲｒｑ以下に保つための振幅変動値Ｖの範囲を示す太い線分
９１１　所要のＢＥＲｒｑ以下に保つための振幅変動値Ｖの範囲を示す太い線分
９１２　所要のＢＥＲｒｑ以下に保つための振幅変動値Ｖの範囲を示す太い線分
【図１】
2004048117.tif 000003
【図２】
2004048117.tif 000004
【図３】
2004048117.tif 000005
【図４】
2004048117.tif 000006
【図５】
2004048117.tif 000007
【図６】
2004048117.tif 000008
【図７】
2004048117.tif 000009
【図８】
2004048117.tif 000010
【図９】
2004048117.tif 000011
【図１０】
2004048117.tif 000012